(57)【要約】【課題】小型で最小の部品点数で撮像素子の位置による到達する光量の差を少なくする光量調節装置を実現することを目的とする。【解決手段】  ２枚以上の遮光部材により撮像素子へ到達する光の量を調節する絞り装置あるいはシャッタ装置において少なくとも一枚の遮光部材の口径を形成する部分に面取りを施すことである。  さらには、２枚以上の遮光部材のうち少なくとも、もっとも撮像素子側の遮光部材の口径を形成する部分の撮像素子側か、もっとも被写体側の遮光部材の口径を形成する部分の被写体側のどちらかあるいは両方に面取りを施すことである。【選択図】図１
2015219339.tif 000002
【特許請求の範囲】
【請求項１】
光軸と概ね直行する方向で移動する２枚以上の遮光部材により撮像素子へ到達する光の量を調整する絞り装置あるいはシャッタ装置において、
上記２枚以上の遮光部材のうち少なくとも一枚の遮光部材の口径を形成する部分に面取りが施されていることを特徴とする光量調節装置。
【請求項２】
光軸と概ね直行する方向で移動する２枚以上の遮光部材により撮像素子へ到達する光の量を調整する絞り装置あるいはシャッタ装置において、
上記２枚以上の遮光部材のうち少なくとも、もっとも撮像素子に近い側の遮光部材の口径を形成する部分の撮像素子側か、もっとも被写に近い側の遮光部材の口径を形成する部分の被写体側のどちらかあるいは両方に面取りが施されていることを特徴とする光量調節装置。
【請求項３】
光軸と概ね直行する方向で移動する２ｎ枚(n=１，２，３、・・)の遮光部材により撮像素子へ到達する光の量を調整する絞り装置あるいはシャッタ装置において、
上記２ｎ枚の遮光部材のうち撮像素子に近い側からｎ枚の遮光部材は口径を形成する部分の撮像素子側に面取りが施されており、被写体に近い側からｎ枚の遮光部材は口径を形成する部分の被写体側に面取りが施されていることを特徴とする光量調節装置。
【請求項４】
光軸と概ね直行する方向で移動する２ｎ＋１枚(n=１，２，３、・・)の遮光部材により撮像素子へ到達する光の量を調整する絞り装置あるいはシャッタ装置において、
上記２ｎ＋１枚の遮光部材のうち撮像素子に近い側からｎ枚の遮光部材は口径を形成する部分の撮像素子側に面取りが施されており、被写体に近い側からｎ枚の遮光部材は口径を形成する部分の被写体側に面取りが施されており、遮光部材の真ん中の一枚は撮像素子側あるいは被写体側のどちらかの口径を形成する部分に面取りを施すか、または面取りの加工を行わないことを特徴とする光量調節装置。
【請求項５】
請求項１〜４のいずれか一項に記載の光量調節装置を備えた光学機器。
【発明の詳細な説明】
【技術分野】
【０００１】
本発明はデジタルスチルカメラやデジタルビデオカメラや携帯機器等のレンズに内蔵される絞り装置やシャッタ装置などの光量を調節する装置に関するものである。
【背景技術】
【０００２】
デジタルスチルカメラやデジタルビデオカメラ、携帯機器等のレンズに搭載される光量調節装置では被写体からの光を透過する口径を複数枚の遮光部材により形成し、その口径の面積や口径を開いている時間により撮像素子に到達する光の量を制御し、最適なあるいは撮影者が意図する光の量を撮像素子に与えている。つまり複数枚の遮光部材が協業して光を通過させる口径部を形成し、口径の大きさを意図する面積に調整するか、口径を意図する時間の間開くことができる装置を使うことが一般的である。
【０００３】
特許文献１では口径部を有する地板と、該地板に取付けられるモータと、該地板の面と平行に配置されて該モータにより該地板の面と平行に段差を設けて設置され相反する方向に動かされる２枚の絞り羽根により口径部の面積を可変できる光量調節装置の例が開示されている。
また特許文献２では絞り羽根の段差による撮像素子面での光量の差を改善する方法として同じ形状の羽根を一枚増やして設置する方法が開示されている。
【先行技術文献】
【特許文献】
【０００４】
【特許文献１】特開平０４−１４５４２２号公報
【特許文献２】特開平０５−６６４６０公報
【発明の概要】
【発明が解決しようとする課題】
【０００５】
しかしながら上述の特許文献１の構成では、特許文献２で指摘されているように遮光部材が同一平面上にないために被写体からの光を遮光する遮光部材の位置により撮像素子に到達する光量に差が出てしまう問題があった。
【０００６】
特許文献２では同一形状の遮光部材２枚を被写体側と撮像素子側に配置して撮像素子に到達する光量の差を改善策している。しかしそのため遮光部材の枚数が増えるとともに口径を形成する部分の厚さが遮光部材一枚分厚くなってしまう欠点を有していた。
【０００７】
本発明は、小型で最小の部品点数で撮像素子の位置による到達する光量の差を少なくする技術に関するものである。
【課題を解決するための手段】
【０００８】
本発明は、２枚以上の遮光部材により撮像素子へ到達する光の量を調節する絞り装置あるいはシャッタ装置において少なくとも一枚の遮光部材の口径を形成する部分に面取りを施すことである。さらには２枚以上の遮光部材のうち少なくとも、もっとも撮像素子に近い側の遮光部材の口径を形成する部分の撮像素子側か、もっとも被写体に近い側の遮光部材の口径を形成する部分の被写体側のどちらかあるいは両方に面取りが施すことである。
【発明の効果】
【０００９】
本発明によれば、撮像素子に到達する光量の差を少なくした小型の光量調節装置を提供することができるものである。
【図面の簡単な説明】
【００１０】
【図１】本発明の第1の実施形態に係わる装置の断面図である。
【図２】図1に示した駆動装置の斜視図である。
【図３】本発明の第２の実施形態に係わる装置の斜視図である。
【発明を実施するための形態】
【００１１】
以下、本発明の実施例について図面を参照しながら説明する。
【００１２】
（実施例１）
１は遮光部材を駆動するためのモータであり地板２に固着されている。３は駆動レバーでありモータ１の出力軸に固着されモータ１の回転に連動して回転する。駆動レバー３には円筒の凸部３aと３ｂを有しており遮光部材である羽根４と羽根５の長穴部４a、５aとそれぞれ摺動可能に勘合され駆動レバー３の回転した位置にあわせて羽根４と羽根５も連動して位置を移動する。
【００１３】
このとき羽根４は長穴４ｂと４ｃが地板２の凸部２ｃと２ｄにスライド可能に保持され、同様に羽根５は長穴５ｂと５ｃが地板２の凸部２aと２ｂにスライド可能に保持されているため羽根４と羽根５は互いに逆方向に移動する構成となっている。
【００１４】
押さえ板６は羽根４および羽根５が地板２の凸部２ｃと２ｄから外れるのを防ぐため羽根４と羽根５の作動スペースを確保する位置で地板２に固着されている。
【００１５】
羽根４と羽根５には絞り口径を形成するための円弧あるいは円弧と直線の組み合わせによる切り欠き部４ｄと５ｄを有している。この羽根４と羽根５の切り欠き部４ｄと５ｄにより囲まれた口径の面積により被写体からの撮像素子に到達する光を調整する構成となっている。
【００１６】
第１図の断面で示すように、羽根４の切り欠き部４ｄは面取りさされており、被写体に近い側の羽根５は被写体側の面に面等を施し、撮像素子の近い側の羽根４は撮像素子側の面に面取りを施している。これにより、撮像素子に到達する光量の差を少なくした小型の光量調節装置を提供することができる。
また、羽根４、５の互いに摺動する部分は、即ち、羽根４の被写体側の面及び羽根５の撮像素子側の面には、面取りを設けないことによって、羽根面相互の円滑な摺動を妨げることなく、２枚の直動する羽根４、５を移動させることができる。
【００１７】
なお、絞り駆動部１と駆動アーム３を地板２の外面側に配置し、駆動アーム３に形成された羽根駆動ピン３ｉ，３ｊを、地板２を貫通させて該地板２の内面側に突出させるようにしてもよい。
【００１８】
（実施例２）
本発明の第２の実施例を図３を用いて説明する。
【００１９】
第２の実施例が第１の実施例と異なる部分は口径を形成する遮光部材である羽根の構成枚数が第一の実施例の２枚に対して第２の実施例では４枚となっている。
【００２０】
駆動源はモータ１０１であり地板１０２に固定されており、モータ１０１の出力軸に駆動レバー１０３が固着されて、モータ１０１の回転に連動して回転する。
【００２１】
駆動レバー１０３には円筒の凸部１０３ａ、１０３ｂ、１０３ｃ、１０３ｄを有しており遮光部材である羽根１０４、１０５、１０６、１０７の長穴部１０４ａ、１０５ａ、１０６ａ、１０７ａとそれぞれ摺動可能に勘合され、駆動レバー１０３の回転した位置にあわせて羽根１０４、１０５、１０６、１０７も連動して位置を移動する。
【００２２】
このとき羽根１０４の長穴１０４ｂと１０４ｃと羽根１０５の長穴１０５ｂと１０５ｃ、羽根１０６の長穴１０６ｂと１０６ｃと羽根１０７の長穴１０７ｂと１０７ｃが地板１０２の凸部１０２ａと１０２ｂにスライド可能に保持されている。この構成により羽根１０４と羽根１０５に対して羽根１０６と羽根１０７は互いに逆方向に移動する構成となっている。
【００２３】
第一の実施例では２枚の羽根それぞれに対してスライド作動する方向をガイドする凸部材が２本ずつあったのに対して第２の実施例では４枚の羽根すべて同じ凸部材でガイドしているがこれはスペース上の課題であり、羽根枚数とは関係ない。第２の実施例でも凸部材を２箇所それぞれ２個配置して構成することも可能であり、また別のガイド方法たとえば羽根の外周部を使用して作動方向をガイドする等でもなんら問題はない。
【００２４】
押さえ板１０８は羽根１０４、１０５、１０６、１０７が地板１０２の凸部２ａと１０２ｂから外れるのを防ぐため羽根１０４、１０５、１０６、１０７の作動スペースを確保する位置で地板１０２に固着されている。
【００２５】
実施例２においても第１図の断面で示すように、羽根１０〜１０７の切り欠き部に面取りが施されてされており、被写体に近い側の羽根１０７は被写体側の面に面取りを施し、撮像素子の近い側の羽根１０４は撮像素子側の面に面取りを施している。
【符号の説明】
【００２６】
１ モータ
２ 地板
３ 駆動レバー
４ 羽根
５ 羽根
６ 押さえ板
７ コイル
１０１ モータ
１０２ 地板
１０３ 駆動レバー
１０４、１０５、１０６、１０７ 羽根
１０８ 押さえ板
【図１】
2015219339.tif 000003
【図２】
2015219339.tif 000004
【図３】
2015219339.tif 000005